(57)【特許請求の範囲】
【請求項１】
複数の光ビームを光ディスクに照射して記録データの読出と書込の少なくとも一方を行うビーム照射手段を備えたマルチビーム光ディスク装置であって、
前記ビーム照射手段が光ディスクに照射した複数の光ビームの戻り光を検出した結果に基づいて、記録データの復調及びエラー訂正を実行する復調手段と、
前記復調手段により復調された記録データに基づいて、前記ビーム照射手段により出射された複数の光ビームの照射位置を光ディスクの半径方向に移動させるトラックジャンプを制御する制御手段とを備え、
前記制御手段は、
光ビームの現在の照射位置と、ジャンプ先のトラックとの間のトラック数が、所定のトラック数未満であるか否かを判別し、
所定のトラック数未満であると判別した場合に、前記復調手段を制御して前記ビーム照射手段により出射された全ての光ビームを用いて光ビームの照射位置を特定し、目標トラックに到達したか否かを判別し、目標トラックに到達していないと判別した場合に、前記復調手段を制御して、前記ビーム照射手段により出射された複数の光ビームのうちの一部の光ビームを用いてジャンプ先のトラックを特定可能に設定するショートジャンプ制御を実行し、
所定のトラック数以上であると判別した場合に、前記復調手段を制御して前記ビーム照射手段により出射された全ての光ビームを用いて光ビームの照射位置を特定し、目標トラックと所定数の誤差トラックとからなる一定範囲のトラックに到達したか否かを判別し、一定範囲のトラックに到達したと判別した場合に、前記復調手段を制御して、前記ビーム照射手段により出射された複数のビームのうちの一部の光ビームを用いてジャンプ先のトラックを特定可能に設定するロングジャンプ制御を実行する、
ことを特徴とするマルチビーム光ディスク装置。
【請求項２】
複数の光ビームを光ディスクに照射して記録データの読出と書込の少なくとも一方を行うマルチビーム光ディスク装置であって、
光ディスクに光ビームを照射する位置を光ディスクの半径方向に移動させるトラックジャンプを実行する際に、複数の光ビームのうちでジャンプ先のトラックを特定するために使用する光ビームの数を切り換えることができる、
ことを特徴とするマルチビーム光ディスク装置。
【請求項３】
複数の光ビームを光ディスクに照射する位置を光ディスクの半径方向に移動させるための光ビーム照射位置移動方法であって、
複数の光ビームを光ディスクに照射して戻り光を検出する光検出ステップと、
前記光検出ステップにて戻り光を検出した結果に基づいて、記録データの復調及びエラー訂正を実行する復調ステップと、
前記復調ステップにて復調した記録データに基づいて、複数の光ビームの照射位置を光ディスクの半径方向に移動させるトラックジャンプを制御する制御ステップとを備え、
前記制御ステップは、
光ビームの現在の照射位置と、ジャンプ先のトラックとの間のトラック数が、所定のトラック数未満であるか否かを判別し、
所定のトラック数未満であると判別した場合に、前記光検出ステップにて光ディスクに照射された全ての光ビームを前記復調ステップにて用いて光ビームの照射位置を特定し、目標トラックに到達したか否かを判別し、目標トラックに到達していないと判別した場合に、前記光検出ステップにて光ディスクに照射された複数の光ビームのうちの一部の光ビームを前記復調ステップにて用いてジャンプ先のトラックを特定可能に設定するショートジャンプ制御を実行し、
所定のトラック数以上であると判別した場合に、前記光検出ステップにて光ディスクに照射された全ての光ビームを前記復調ステップにて用いて光ビームの照射位置を特定し、目標トラックと所定数の誤差トラックとからなる一定範囲のトラックに到達したか否かを判別し、一定範囲のトラックに到達したと判別した場合に、前記光検出ステップにて光ディスクに照射された複数のビームのうちの一部の光ビームを前記復調ステップにて用いてジャンプ先のトラックを特定可能に設定するロングジャンプ制御を実行する、
ことを特徴とする光ビーム照射位置移動方法。
【発明の詳細な説明】
【０００１】
【発明の属する技術分野】
この発明は、光ディスクに対するデータの読出及び書込の少なくとも一方に、複数の光ビームを用いるマルチビーム光ディスク装置に係り、特に、光ディスクのアクセスにおいてトラック間のジャンプに要する時間を短縮できるマルチビーム光ディスク装置に関する。
【０００２】
【従来の技術】
例えばＣＤ（Compact Disc）を再生するＣＤプレーヤといった、光ディスク装置は、再生時や記録時に所要のトラックに対してランダムにアクセスすることが可能である。このため、記録情報の読出／書込を行うための光ピックアップを含んだアクチュエータを、トラック間でジャンプ（トラックジャンプ）させることがある。
このようなトラックジャンプに際し、光ビームのジャンプ前の照射位置と、ジャンプ先のトラックとの間のトラック数が所定個数以上である場合のジャンプを、ロングジャンプ、所定個数未満のジャンプをショートジャンプと称する。
【０００３】
ロングジャンプの場合には、トラック間方向、つまり光ディスクの半径方向の光ビームの移動量が大きくなるため、通常のトラッキング制御では充分ではない。このため、光ピックアップを含めたアクチュエータをディスク半径方向に移動させるスレッド制御系を用いて、所定トラック数以上のロングジャンプのためのスレッド駆動制御を行うようにしている。
【０００４】
従来、複数の光ビームを用いて複数のトラックに対して同時に記録データの読出や書込が可能なマルチビーム光ディスク装置は、トラックジャンプを行うと、複数の光ビームに対応して読み取ったデータに基づいて、ジャンプ先のトラックに到達したか否かを判別する。
すなわち、従来のマルチビーム光ディスク装置は、ロングジャンプやショートジャンプといったトラックジャンプを行うと、複数の光ビームに対応して読み取ったデータをメモリに保管し、区切りのよい所定のタイミングで、メモリに保管されているデータを結合し、復調やエラー訂正といった処理を実行する。
これにより、所要のトラックにジャンプできたか否かを判別する。
【０００５】
例えば、５つの光ビームを用いて光ディスクに記録されているデータを読み出すマルチビーム光ディスク装置は、５つの光ビームに対応して読み取った５トラック分のデータをメモリに保管する。こののち、マルチビーム光ディスク装置は、予め定めたタイミングが到来するごとに、メモリからデータを読み出して結合し、復調やエラー訂正といった処理を実行する。
【０００６】
【発明が解決しようとする課題】
上記従来のマルチビーム光ディスク装置では、トラックジャンプを行う際に、メモリに保管されているデータを結合するタイミングや手法が固定されているため、データの復調やエラー訂正に一定の時間を必要とする。すなわち、従来のマルチビーム光ディスク装置は、トラックジャンプを行う際、通常のデータ読出時と同様に、複数の光ビームに対応して読み取った全てのデータを用いて、ジャンプ先に到達したか否かを判別する。
【０００７】
このため、頻繁にトラックジャンプを行う際には、所要のデータを読み出すまでの時間が増大し、また、処理量の増加に伴って消費電力も増大するという問題があった。
【０００８】
この発明は、上記実状に鑑みてなされたものであり、素早いトラックジャンプを可能として消費電力を低減することができるマルチビーム光ディスク装置を、提供することを目的とする。
【０００９】
【課題を解決するための手段】
上記目的を達成するため、この発明の第１の観点に係るマルチビーム光ディスク装置は、
複数の光ビームを光ディスクに照射して記録データの読出と書込の少なくとも一方を行うビーム照射手段を備えたものであって、
前記ビーム照射手段が光ディスクに照射した複数の光ビームの戻り光を検出した結果に基づいて、記録データの復調及びエラー訂正を実行する復調手段と、
前記復調手段により復調された記録データに基づいて、前記ビーム照射手段により出射された複数の光ビームの照射位置を光ディスクの半径方向に移動させるトラックジャンプを制御する制御手段とを備え、
前記制御手段は、
光ビームの現在の照射位置と、ジャンプ先のトラックとの間のトラック数が、所定のトラック数未満であるか否かを判別し、
所定のトラック数未満であると判別した場合に、前記復調手段を制御して前記ビーム照射手段により出射された全ての光ビームを用いて光ビームの照射位置を特定し、目標トラックに到達したか否かを判別し、目標トラックに到達していないと判別した場合に、前記復調手段を制御して、前記ビーム照射手段により出射された複数の光ビームのうちの一部の光ビームを用いてジャンプ先のトラックを特定可能に設定するショートジャンプ制御を実行し、
所定のトラック数以上であると判別した場合に、前記復調手段を制御して前記ビーム照射手段により出射された全ての光ビームを用いて光ビームの照射位置を特定し、目標トラックと所定数の誤差トラックとからなる一定範囲のトラックに到達したか否かを判別し、一定範囲のトラックに到達したと判別した場合に、前記復調手段を制御して、前記ビーム照射手段により出射された複数のビームのうちの一部の光ビームを用いてジャンプ先のトラックを特定可能に設定するロングジャンプ制御を実行する、
ことを特徴とする。
【００１０】
この発明によれば、制御手段は、トラックジャンプを実行する際に、復調手段を制御して、ビーム照射手段により出射された複数の光ビームのうちの一部の光ビームを用いてジャンプ先のトラックを特定する。
これにより、トラックジャンプに要する処理量を低減することができ、素早いトラックジャンプを可能として消費電力を低減することができる。
【００１３】
この発明の第２の観点に係るマルチビーム光ディスク装置は、
複数の光ビームを光ディスクに照射して記録データの読出と書込の少なくとも一方を行うものであって、
光ディスクに光ビームを照射する位置を光ディスクの半径方向に移動させるトラックジャンプを実行する際に、複数の光ビームのうちでジャンプ先のトラックを特定するために使用する光ビームの数を切り換えることができる、
ことを特徴とする。
【００１４】
この発明によれば、トラックジャンプを実行する際に、ジャンプ先のトラックを特定するために使用する光ビームの数を切り換えることができ、複数の光ビームのうちの一部を用いてジャンプ先のトラックを特定することができる。
これにより、トラックジャンプに要する処理量を低減でき、素早いトラックジャンプを可能として消費電力を低減することができる。
【００１５】
この発明の第３の観点に係る光ビーム照射位置移動方法は、
複数の光ビームを光ディスクに照射する位置を光ディスクの半径方向に移動させるための方法であって、
複数の光ビームを光ディスクに照射して戻り光を検出する光検出ステップと、
前記光検出ステップにて戻り光を検出した結果に基づいて、記録データの復調及びエラー訂正を実行する復調ステップと、
前記復調ステップにて復調した記録データに基づいて、複数の光ビームの照射位置を光ディスクの半径方向に移動させるトラックジャンプを制御する制御ステップとを備え、
前記制御ステップは、
光ビームの現在の照射位置と、ジャンプ先のトラックとの間のトラック数が、所定のトラック数未満であるか否かを判別し、
所定のトラック数未満であると判別した場合に、前記光検出ステップにて光ディスクに照射された全ての光ビームを前記復調ステップにて用いて光ビームの照射位置を特定し、目標トラックに到達したか否かを判別し、目標トラックに到達していないと判別した場合に、前記光検出ステップにて光ディスクに照射された複数の光ビームのうちの一部の光ビームを前記復調ステップにて用いてジャンプ先のトラックを特定可能に設定するショートジャンプ制御を実行し、
所定のトラック数以上であると判別した場合に、前記光検出ステップにて光ディスクに照射された全ての光ビームを前記復調ステップにて用いて光ビームの照射位置を特定し、目標トラックと所定数の誤差トラックとからなる一定範囲のトラックに到達したか否かを判別し、一定範囲のトラックに到達したと判別した場合に、前記光検出ステップにて光ディスクに照射された複数のビームのうちの一部の光ビームを前記復調ステップにて用いてジャンプ先のトラックを特定可能に設定するロングジャンプ制御を実行する、
ことを特徴とする。
【００１６】
【発明の実施の形態】
以下に、図面を参照して、この発明の実施の形態に係るマルチビーム光ディスク装置について詳細に説明する。
【００１７】
図１は、この発明の実施の形態に係るマルチビーム光ディスク装置１００の構成を示す図である。
このマルチビーム光ディスク装置１００は、複数の光ビームを光ディスク１に照射して戻り光を検出し、複数の光ビームそれぞれに対応して読み取ったデータを結合して再生することができる。
【００１８】
このマルチビーム光ディスク装置１００は、図１に示すように、例えば、アクチュエータ２と、スピンドルモータ３と、ＡＳＰ（Analog Signal Processor）４と、サーボ信号処理回路５と、ＤＳＰ（Digital Signal Processor）６と、ＣＰＵ（Central Processing Unit）７と、メモリ８と、ドライバ９と、ＡＴＡＰＩ（AT Attachment Packet Interface）１０とを備えている。
【００１９】
アクチュエータ２は、光ディスク１に対して記録データの読出や書込を行うための光ビームを出射し、戻り光を検出する光ピックアップや、その光ピックアップを駆動し、位置決めやビーム強度の調整を行う駆動装置等を備えて構成される。アクチュエータ２は、複数（例えば、５つ）の光ビームを出射して戻り光を検出可能であり、検出した各光ビームの戻り光の強度に対応した光量変化電流を、再生信号として生成し、ＡＳＰ４に送る。
【００２０】
スピンドルモータ３は、サーボ信号処理回路５の制御により、ターンテーブルやクランプ機構にて保持する光ディスク１を、所定の回転速度で回転駆動するためのものである。
【００２１】
ＡＳＰ４は、例えばＲＦ（Radio Frequency）アンプや波形等化器、エラー信号用フィルタ回路等から構成されるアナログ信号処理回路である。例えば、ＡＳＰ４は、アクチュエータ２から受けた光量変化電流を電圧に変換して合成したＲＦ信号を生成し、その信号の波形を等化する。
【００２２】
サーボ信号処理回路５は、ＣＰＵ７の制御により、光ディスク１に記録されているデータを読み出すために、ドライバ９を介してアクチュエータ２やスピンドルモータ３を駆動するためのものである。
また、サーボ信号処理回路５は、トラッキングエラー信号やフォーカスエラー信号といったエラー信号をＡＳＰ４から受け、アクチュエータ２やスピンドルモータ３の動作を制御して、エラーを除去することができる。
【００２３】
ＤＳＰ６は、ＡＳＰ４により生成されたＲＦ信号の復調やエラー訂正を行うためのディジタル信号処理回路である。
【００２４】
ＣＰＵ７は、このマルチビーム光ディスク装置１００全体の動作を制御するためのマイクロプロセッサである。
例えば、ＣＰＵ７は、アクチュエータ２が光ディスク１の半径方向に移動する際に、アクチュエータ２の移動量を、光ディスク１のトラック数に基づいて特定し、所要のデータの記録位置への移動を可能とする。すなわち、ＣＰＵ７は、例えば、アクチュエータ２を光ディスク１の半径方向に移動させるスレッドモータにビームスプリッタが取り付けられている場合、そのビームスプリッタに照射された光ビームの反射光を検出することにより得られたスプリットの通過数をカウントして、トラック数に置き換える。また、ＣＰＵ７は、例えば、サーボ信号処理回路５が検出したトラッキングエラー信号により、アクチュエータ２から出射された光ビームの照射位置が光ディスク１のトラックを横断する周期を特定する。ＣＰＵ７は、横断したトラック数をカウントすることにより、アクチュエータ２の移動量を特定する。
【００２５】
メモリ８は、例えばＲＡＭ（Random Access Memory）といった半導体記憶装置から構成され、ＤＳＰ６がディジタルデータの復調やエラー訂正を行う際に、光ディスク１から読み出された記録データを一時的に記憶し、複数の光ビームに対応して読み出した記録データを、再生用に結合可能とするためのものである。
【００２６】
ドライバ９は、サーボ信号処理回路５の制御に従ってアクチュエータ２やスピンドルモータ３を駆動するための駆動回路である。
【００２７】
ＡＴＡＰＩ１０は、ＤＳＰ６によりＲＦ信号から復調され、エラー訂正が施されたディジタルデータを、例えばパーソナルコンピュータといった、外部機器に出力するためのインタフェースである。また、ＡＴＡＰＩ１０は、外部機器から入力されたディジタルデータをＤＳＰ６に供給することにより、光ディスク１への書込を可能とする。
【００２８】
以下に、この発明の実施の形態に係るマルチビーム光ディスク装置１００の動作を説明する。
このマルチビーム光ディスク装置１００は、所要のデータをサーチするためにトラック間でジャンプ（トラックジャンプ）する際に、アクチュエータ２から出射される複数の光ビームを使い分けることにより、素早いトラックジャンプを可能とする。
以下では、一例として、このマルチビーム光ディスク装置１００が５つの光ビームを使用して、光ディスク１に対する記録データの読出や書込が可能であるものとして説明する。
【００２９】
このマルチビーム光ディスク装置１００は、例えばＡＴＡＰＩ１０を通して外部機器から入力された制御信号等によりトラックジャンプ指令が与えられると、図２のフローチャートに示すショートジャンプ処理、あるいは図３のフローチャートに示すロングジャンプ処理を実行する。
【００３０】
この際、ＣＰＵ７は、外部機器から入力された制御信号により読出や書込が指示されたデータの種類及びデータ量や、光ディスク１におけるデータの記録状況等に応じて、所要のデータの読出位置、あるいは書込位置を示すアドレスを特定し、光ビームの現在の照射位置からの移動量を特定する。
ＣＰＵ７は、特定した移動量に対応したトラック数に基づいて、トラックジャンプがショートジャンプとロングジャンプのいずれであるかを判別する。
【００３１】
図２のフローチャートに示すショートジャンプ処理は、光ビームの現在の照射位置と、ジャンプ先のトラックとの間のトラック数が所定数未満であるショートジャンプを行う際に、このマルチビーム光ディスク装置１００が実行する処理である。また、図３のフローチャートに示すロングジャンプ処理は、光ビームの現在の照射位置と、ジャンプ先のトラックとの間のトラック数が所定数以上であるロングジャンプを行う際に、このマルチビーム光ディスク装置１００が実行する処理である。
【００３２】
以下、図２のフローチャートに示すショートジャンプ処理について説明する。
【００３３】
ショートジャンプ処理を開始すると、ＣＰＵ７は、ＡＳＰ４及びＤＳＰ６を制御して、アクチュエータ２が出射する全ての光ビームを使用して、ジャンプ先のトラックを特定可能に設定する（ステップＳ１）。すなわち、ＣＰＵ７は、アクチュエータ２が出射する５つの光ビームを使用して、ジャンプ先のトラックを特定可能に設定する。
これにより、ＤＳＰ６は、アクチュエータ２が出射する５つの光ビームに対応して読み取った５トラック分のデータをメモリ８に記憶し、予め定められたタイミングが到来するごとにメモリ８に記憶されているデータを読み出して結合し、復調やエラー訂正を可能とする。
【００３４】
ＣＰＵ７は、サーボ信号処理回路５にトラックジャンプの指令を送ることにより、ショートジャンプを実行させる（ステップＳ２）。
サーボ信号処理回路５は、ＣＰＵ７から受けた指令に応答し、ＡＳＰ４を介してアクチュエータ２から受けたトラッキングエラー信号に基づいて、ドライバ９によりアクチュエータ２のトラッキング制御を実行するなどして、ショートジャンプを実行する。
【００３５】
ＣＰＵ７は、ＡＳＰ４及びＤＳＰ６による信号処理の結果として得られるデータから、要求されたアドレスを確認するなどして、目標となるジャンプ先のトラック（目標トラック）に到達したか否かを判別する（ステップＳ３）。
【００３６】
ＣＰＵ７は、目標トラックに到達していないと判別すると（ステップＳ３にてＮＯ）、ＡＳＰ４及びＤＳＰ６を制御して、アクチュエータ２が出射する５つの光ビームのうちの一部の光ビームを使用してジャンプ先のトラックを特定可能に設定する（ステップＳ４）。
例えば、ＣＰＵ７は、アクチュエータ２が出射する光ビームのうち３つの光ビーム、あるいは１つの光ビームを使用してジャンプ先のトラックを特定可能に設定する。
ＤＳＰ６は、アクチュエータ２が出射する光ビームのうちの３つの光ビーム、あるいは１つの光ビームに対応したデータのみを復調及びエラー訂正して、ＣＰＵ７に提供する。
【００３７】
このように、複数の光ビームのうちの一部を用いてジャンプ先のトラックを特定する動作に切り換えることにより、トラックジャンプに要する処理量を低減する。すなわち、ＤＳＰ６は、メモリ８に記憶されているデータを読み出して結合するべく予め定められたタイミングに制約されることなく、光ディスク１から読み取ったデータの復調やエラー訂正を行って、ＣＰＵ７に提供することができる。
これにより、素早いトラックジャンプが可能となり、消費電力を低減することができる。
【００３８】
こののち、ＣＰＵ７は、処理を上記ステップＳ２にリターンして、サーボ信号処理回路５に指令を送ることにより、ショートジャンプを実行させる。
【００３９】
また、ＣＰＵ７は、上記ステップＳ３にて、目標トラックに到達したと判別すると（ステップＳ３にてＹＥＳ）、ＡＳＰ４及びＤＳＰ６に指令を送り、光ディスク１に対して記録データの読出や書込を行うためのデータ転送を開始させる（ステップＳ５）。
これにより、ＡＴＡＰＩ１０を通して外部機器から入力されたデータの光ディスク１への書込や、光ディスク１から読み取ったデータの外部機器への出力が可能となる。
【００４０】
次に、図３のフローチャートに示すロングジャンプ処理について説明する。
【００４１】
ロングジャンプ処理を開始すると、ＣＰＵ７は、ＡＳＰ４及びＤＳＰ６を制御して、アクチュエータ２が出射する全ての光ビームを使用して、ジャンプ先のトラックを特定可能に設定する（ステップＳ１０）。すなわち、ＣＰＵ７は、アクチュエータ２が出射する５つの光ビームを使用して、ジャンプ先のトラックを特定可能に設定する。
これにより、ＤＳＰ６は、アクチュエータ２が出射する５つの光ビームに対応して読み取った５トラック分のデータをメモリ８に記憶し、予め定められたタイミングが到来するごとにメモリ８に記憶されているデータを読み出して結合し、復調やエラー訂正を可能とする。
【００４２】
ＣＰＵ７は、サーボ信号処理回路５にトラックジャンプの指令を送ることにより、ロングジャンプを実行させる（ステップＳ１１）。
サーボ信号処理回路５は、ＣＰＵ７から受けた指令に応答し、例えば、ドライバ９により、アクチュエータ２を光ディスク１の半径方向に移動させるスレッドモータ（図示せず）に、ジャンプするトラック数に応じた駆動パルスを供給するなどして、ロングジャンプを実行する。
【００４３】
ＣＰＵ７は、ＡＳＰ４及びＤＳＰ６による信号処理の結果として得られたデータから、要求されたアドレスを確認するなどして、目標となるジャンプ先のトラック（目標トラック）に到達したか否かを判別する（ステップＳ１２）。
なお、この際に判別基準となる目標トラックは、光ビームの照射位置をさらにロングジャンプさせるか否かを判別するためのものであり、正確な目標トラックにショートジャンプで調整可能な所定数の誤差トラックを含んだ一定範囲のトラックである。
【００４４】
ＣＰＵ７は、一定範囲のトラックに到達していないと判別すると（ステップＳ１２にてＮＯ）、処理を上記ステップＳ１１にリターンして、さらにロングジャンプを継続する。
【００４５】
一方、ＣＰＵ７は、一定範囲のトラックに到達したと判別すると（ステップＳ１２にてＹＥＳ）、光ビームの現在の照射位置から正確な目標トラックまでの誤差トラック数を求める（ステップＳ１３）。
【００４６】
こののち、ＣＰＵ７は、ＡＳＰ４及びＤＳＰ６を制御して、アクチュエータ２が出射する５つの光ビームのうちの一部の光ビームを使用してジャンプ先のトラックを特定可能に設定する（ステップＳ１４）。
例えば、ＣＰＵ７は、アクチュエータ２が出射する光ビームのうち３つの光ビーム、あるいは１つの光ビームを使用してジャンプ先のトラックを特定可能に設定する。
ＤＳＰ６は、アクチュエータ２が出射する光ビームのうちの３つの光ビーム、あるいは１つの光ビームに対応したデータのみを復調及びエラー訂正して、ＣＰＵ７に提供する。
【００４７】
ＣＰＵ７は、サーボ信号処理回路５にトラックジャンプの指令を送ることにより、ショートジャンプを実行させる（ステップＳ１５）。
サーボ信号処理回路５は、ＣＰＵ７から受けた指令に応答して、ＡＳＰ４を介してアクチュエータ２から受けたトラッキングエラー信号に基づいて、ドライバ９によりアクチュエータ２のトラッキング制御を実行するなどして、ショートジャンプを実行する。
このように、複数の光ビームのうちの一部に対応したデータのみを復調及びエラー訂正してショートジャンプに利用することにより、トラックジャンプに要する処理量を低減することができる。
これにより、素早いトラックジャンプが可能となり、消費電力を低減することができる。
【００４８】
こののち、ＣＰＵ７は、ＡＳＰ４及びＤＳＰ６による信号処理の結果として得られたデータから、要求されたアドレスを確認するなどして、目標となるジャンプ先のトラック（目標トラック）に到達したか否かを判別する（ステップＳ１６）。
【００４９】
ＣＰＵ７は、目標トラックに到達していないと判別すると（ステップＳ１６にてＮＯ）、ＡＳＰ４及びＤＳＰ６を制御して、アクチュエータ２が出射する５つの光ビームのうちのいずれか１つの光ビームを使用してジャンプ先のトラックを特定可能とする（ステップＳ１７）。
すなわち、ＤＳＰ６は、アクチュエータ２が出射する光ビームのうちのいずれか１つの光ビームに対応したデータのみを復調及びエラー訂正して、ＣＰＵ７に供給する。
【００５０】
こののち、ＣＰＵ７は、処理を上記ステップＳ１５にリターンして、サーボ信号処理回路５に指令を送ることにより、ショートジャンプを実行させる。
【００５１】
また、ＣＰＵ７は、上記ステップＳ１６にて、目標トラックに到達したと判別すると（ステップＳ１６にてＹＥＳ）、ＡＳＰ４及びＤＳＰ６に指令を送り、光ディスク１に対して記録データの読出や書込を行うためのデータ転送を開始させる（ステップＳ１８）。
これにより、ＡＴＡＰＩ１０を通して外部機器から入力されたデータの光ディスク１への書込や、光ディスク１から読み取ったデータの外部機器への出力が可能となる。
【００５２】
以上説明したように、この発明によれば、トラックジャンプの際に、アクチュエータ２が出射する複数の光ビームのうちの一部を使用してジャンプ先のトラックを特定することができ、トラックジャンプに要する処理量を低減することができる。
これにより、素早いトラックジャンプが可能となり、消費電力を低減することができる。
【００５３】
なお、上記実施の形態では、一例として、５つの光ビームを使用して光ディスク１に対する記録データの読出や書込が可能なものとして説明したが、これに限定されず、例えば、さらに多くの光ビーム（例えば、７つの光ビーム）を使用する場合にも適用することができる。
【００５４】
また、記録データの読出や書込の対象となる光ディスク１としては、例えば、ＣＤ（Compact Disc）やＭＤ（Mini Disc）、ＬＤ（Laser Disc）、ＤＶＤ（Digital Versatile Disc）といった、光ビームを用いてトラックジャンプを実行可能な任意のディスク状記録媒体を採用可能である。
【００５５】
【発明の効果】
以上の説明のように、この発明によれば、トラックジャンプを行う際に、複数の光ビームのうちの一部を使用してジャンプ先のトラックを特定することができ、トラックジャンプに要する処理量を低減することができる。
これにより、素早いトラックジャンプが可能となり、消費電力を低減することができる。
【図面の簡単な説明】
【図１】この発明の実施の形態に係るマルチビーム光ディスク装置の構成を示す図である。
【図２】ショートジャンプ処理を説明するためのフローチャートである。
【図３】ロングジャンプ処理を説明するためのフローチャートである。
【符号の説明】
１    光ディスク
２    アクチュエータ
３    スピンドルモータ
４    ＡＳＰ
５    サーボ信号処理回路
６    ＤＳＰ
７    ＣＰＵ
８    メモリ
９    ドライバ
１０    ＡＴＡＰＩ
１００    マルチビーム光ディスク装置
【図１】
0003682223.tif 000002
【図２】
0003682223.tif 000003
【図３】
0003682223.tif 000004